(57)【特許請求の範囲】
【請求項１】
天井板の埋設孔の上面に配置される取付板と、前記天井板の埋設孔の下面に配置される枠体と、を有し、前記取付板と前記枠体とが前記天井板を挟み込むことで、器具本体に取付ばねを有する照明器具の前記器具本体を支持するリニューアルプレートであって、
前記取付板は、
前記器具本体が挿通される第１の挿通孔と、
前記第１の挿通孔の周縁に設けられる、上方に突出する取付板側起立板と、
前記取付板側起立板に設けられるねじ孔と、
前記取付板側起立板の、前記取付ばねに対応する位置に形成される、前記取付ばねが収まる大きさの取付板側切欠と、
を有し、
前記枠体は、
前記器具本体が挿通される第２の挿通孔と、
前記第２の挿通孔の周縁に設けられ、かつ上方に突出する枠体側起立板と、
前記枠体側起立板の前記取付板側切欠に対応する位置に形成される、前記取付ばねが収まる大きさの枠体側切欠と、
を有し、
前記枠体側起立板は、その一部に、その他の部分よりもさらに上方に突出し、かつ前記取付板側起立板のねじ孔に対応する位置に、上下方向である縦方向に切除されたスリットが形成されているねじ支持板を有し、
前記ねじ支持板は、前記取付板側起立板の内周側における前記取付板側起立板のねじ孔に対応する位置に配置され、かつ、ねじが、前記第２の挿通孔の内周側から前記スリットを通じて前記取付板側起立板のねじ孔にねじ込まれるリニューアルプレート。
【請求項２】
請求項１に記載のリニューアルプレートにおいて、
前記取付板は、前記天井板に位置決められる突起を有するリニューアルプレート。
【請求項３】
請求項１または請求項２に記載のリニューアルプレートにおいて、
前記ねじによって、前記取付板と前記枠体とを仮止めすることが可能であるリニューアルプレート。
【請求項４】
請求項１ないし請求項３のいずれか１項に記載のリニューアルプレートにおいて、
前記器具本体が取り付けられた状態において、前記枠体における前記ねじ支持板の、前記天井板の上面からの高さは、前記器具本体における首振回転軸の、前記天井板の上面からの高さよりも低いリニューアルプレート。
【発明の詳細な説明】
【技術分野】
【０００１】
本発明は、照明器具に有する器具本体を天井板に支持するリニューアルプレートに関する。
【背景技術】
【０００２】
従来より、天井板の上面に配置される取付部材と、取付部材に係合される取付ばねが取り付けられた枠部材とを有するリニューアルプレートが知られている（例えば、特許文献１参照）。
特許文献１に記載のリニューアルプレートは、取付部材を天井板の上面に配置してから、枠部材を天井板の下面に当接させて枠部材の取付ばねを取付部材に係合させる。そして、器具本体を埋設孔に挿入して取付具により器具本体を埋設孔に支持した後に、枠部材と取付部材とにより器具本体を挟み込むことにより器具本体を埋設孔に取り付けできる。
【先行技術文献】
【特許文献】
【０００３】
【特許文献１】特開２０１０−７３４８０号公報（図８、請求項１）
【発明の概要】
【発明が解決しようとする課題】
【０００４】
ところが、前述した特許文献１に記載されたリニューアルプレートは、リニューアルプレートに有する取付ばねにより器具本体およびリニューアルプレート自体が保持されるために、保持力が取付ばねに委ねられる。そのため、保持力をリニューアルプレート側で考慮しなくてはならない。
従って、前述した特許文献１に記載されたリニューアルプレートは、保持力の設定が難しいばかりか複雑な構造になる。
【０００５】
本発明は、前述した課題を解決するためになされたものであり、その目的は、保持力の設定を簡単にできるとともに簡素な構造にできるリニューアルプレートを提供することにある。
【課題を解決するための手段】
【０００６】
本発明に係るリニューアルプレートは、天井板の埋設孔の上面に配置される取付板と、前記天井板の埋設孔の下面に配置される枠体と、を有し、前記取付板と前記枠体とが前記天井板を挟み込むことで、器具本体に取付ばねを有する照明器具の前記器具本体を支持するリニューアルプレートであって、前記取付板は、前記器具本体が挿通される第１の挿通孔と、前記第１の挿通孔の周縁に設けられる、上方に突出する取付板側起立板と、前記取付板側起立板に設けられるねじ孔と、前記取付板側起立板の、前記取付ばねに対応する位置に形成される、前記取付ばねが収まる大きさの取付板側切欠と、を有し、前記枠体は、前記器具本体が挿通される第２の挿通孔と、前記第２の挿通孔の周縁に設けられ、かつ上方に突出する枠体側起立板と、前記枠体側起立板の前記取付板側切欠に対応する位置に形成される、前記取付ばねが収まる大きさの枠体側切欠と、を有し、前記枠体側起立板は、その一部に、その他の部分よりもさらに上方に突出し、かつ前記取付板側起立板のねじ孔に対応する位置に、上下方向である縦方向に切除されたスリットが形成されているねじ支持板を有し、前記ねじ支持板は、前記取付板側起立板の内周側における前記取付板側起立板のねじ孔に対応する位置に配置され、かつ、ねじが、前記第２の挿通孔の内周側から前記スリットを通じて前記取付板側起立板のねじ孔にねじ込まれる。
【０００７】
本発明に係るリニューアルプレートは、前記取付板は、前記天井板に位置決められる突起を有する。
【００１０】
本発明に係るリニューアルプレートは、前記ねじによって、前記取付板と前記枠体とを仮止めすることが可能である。
【００１１】
本発明に係るリニューアルプレートは、前記器具本体が取り付けられた状態において、前記枠体における前記ねじ支持板の、前記天井板の上面からの高さは、前記器具本体における首振回転軸の、前記天井板の上面からの高さよりも低い。
【発明の効果】
【００１２】
本発明に係るリニューアルプレートによれば、保持力の設定を簡単にできるとともに簡素な構造にできるという効果を奏する。
【図面の簡単な説明】
【００１３】
【図１】本発明に係る一実施形態のリニューアルプレートを適用した照明器具の天井板への取付状態の正面図
【図２】本発明に係る一実施形態のリニューアルプレートを適用した照明器具の垂直断面図
【図３】本発明に係る一実施形態のリニューアルプレートにおける取付板の斜め上方から視た外観斜視図
【図４】本発明に係る一実施形態のリニューアルプレートにおける取付板の斜め下方から視た外観斜視図
【図５】本発明に係る一実施形態のリニューアルプレートにおける取付板の天井板の下方から視た底面図
【図６】本発明に係る一実施形態のリニューアルプレートにおける枠体の斜め上方から視た外観斜視図
【図７】本発明に係る一実施形態のリニューアルプレートにおける取付板と枠体との組付関係を説明する分解斜視図
【図８】本発明に係る一実施形態のリニューアルプレートにおける取付板と枠体との仮止時の外観斜視図
【図９】本発明に係る一実施形態のリニューアルプレートの組立手順の第１段階の斜め上方から視た分解斜視図
【図１０】本発明に係る一実施形態のリニューアルプレートの組立手順の第２段階の斜め上方から視た分解斜視図
【図１１】本発明に係る一実施形態のリニューアルプレートの組立手順の第３段階の斜め上方から視た外観斜視図
【図１２】本発明に係る一実施形態のリニューアルプレートの組立手順の第４段階の斜め上方から視た外観斜視図
【図１３】本発明に係る一実施形態のリニューアルプレートを適用した照明器具の天井板への取付状態のリニューアルプレート周りの垂直断面図
【図１４】本発明に係る一実施形態のリニューアルプレートを適用したユニバーサルダウンライト型の照明器具の天井板への取付状態の斜め上方から視た外観斜視図
【図１５】本発明に係る一実施形態のリニューアルプレートを適用したユニバーサルダウンライト型の照明器具の天井板への取付状態の側面図
【発明を実施するための形態】
【００１４】
以下、本発明に係る一実施形態のリニューアルプレートについて図面を参照して説明する。
本発明に係る一実施形態のリニューアルプレート１０は、天井板１に形成された埋設孔２の上面に配置される取付板１１と、天井板１の埋設孔２の下面に配置される枠体１２とを備え、取付板１１と枠体１２とにより天井板１を挟み込んで器具本体５１に取付ばね５２を有する照明器具５０の器具本体５１を支持する。
【００１５】
図１および図２に示すように、照明器具５０は、器具本体５１の側部に複数の取付ばね５２が取り付けられており、器具本体５１の底部に複数のＬＥＤ５３を装備するＬＥＤユニット５４が取付けられている。器具本体５１は、ＬＥＤユニット５４の前面にレンズ５５が取り付けられている。
【００１６】
器具本体５１は、その上部にブラケット５６を介して電源ユニット５７が取り付けられており、同じくブラケット５６を介して取り付けられた電源端子台５８が電源ユニット５７に電気的に接続されている。電源端子台５８は、外部の電源回路に電気的に接続されるとともに電源ユニット５７に電気的に接続される。電源ユニット５７は、ＬＥＤユニット５４において、ＬＥＤ５３が実装されている不図示のＬＥＤ基板に有するプリント回路に電気的に接続されており、プリント回路に所定の直流電流を与えてＬＥＤ５３を発光させる。
【００１７】
取付ばね５２は、器具本体５１に対して斜め上方に向けて延出されている。取付ばね５２は、器具本体５１が埋設孔２に下方から挿入される際に器具本体５１に沿うように弾性変形される。そして、取付ばね５２は、器具本体５１が埋設孔２に挿入された後に、それぞれの外径を大きくするように弾性復元されることにより、器具本体５１を天井板１に対して上昇させる押上力を器具本体５１に付与する。
【００１８】
図３に示すように、取付板１１は、厚みの薄い金属製板部材を用いて外形が正方形に形成された取付板本体１３を有する。取付板１１は、取付板本体１３の中央部に円形の貫通孔である器具本体挿通孔１４を有し、取付板本体１３の上面の器具本体挿通孔１４の周縁に複数の取付板側起立板１５を有する。取付板側起立板１５は埋設孔２の軸方向に平行に配置される。そして、複数の取付板側起立板１５のうちの対向する位置に一対のねじ孔１６を有する。取付板１１は、複数の取付板側起立板１５の間に器具本体５１の取付ばね５２が収まる大きさを有する取付板側切欠１７を取付ばね５２に対応した位置に有する。取付板１１は、取付板本体１３の外縁に外周起立板１８を有する。
【００１９】
図４に示すように、取付板１１は、取付板本体１３の下面の器具本体挿通孔１４の外側に、埋設孔２の内径に対応した位置に複数の位置決め突起１９を下方に向けて突出して有する。
図５に示すように、取付板１１は、天井板１の埋設孔２上に配置される。このとき、取付板１１は、位置決め突起１９が埋設孔２の内周面に係合されることにより、埋設孔２の同心の位置に位置決めされる。
従って、取り付けに際し、取付板１１が天井板１の埋設孔２上に配置されたときに、位置決め突起１９により、取付板１１を埋設孔２の所定位置に位置決めできる。
【００２０】
図６に示すように、枠体１２は、厚みの薄い金属製板部材を用いて外形が円形に形成された枠体本体２０を有する。枠体１２は、枠体本体２０の中央部に円形の貫通孔である器具本体挿通孔２１を有し、枠体本体２０の上面の器具本体挿通孔２１の周縁に複数の枠体側起立板２２を有する。枠体側起立板２２は埋設孔２の軸方向に平行に配置される。そして、複数の枠体側起立板２２のうちの対向する位置に縦方向に切除されたスリット２４を有するねじ支持板２３を有する。枠体１２は、複数の枠体側起立板２２の間に取付板１１の取付板側切欠１７に対となって器具本体５１の取付ばね５２が収まる大きさを有する枠体側切欠２５を有する。枠体１２は、枠体本体２０の外縁に外周起立板２６を有する。
【００２１】
図７に示すように、天井板１の上面に配置される取付板１１に対して、天井板１の下面から枠体１２が進行される。枠体１２は、天井板１を通じて取付板１１に向けて進行されることにより、ねじ支持板２３のスリット２４が取付板１１の取付板側起立板１５のねじ孔１６に対応して内周側に配置される。
図８に示すように、枠体１２のねじ支持板２３のスリット２４が取付板１１の取付板側起立板１５のねじ孔１６に対応して内周側配置された後に、枠体１２の器具本体挿通孔１４の内周側から例えば六角ねじであるねじ２７がスリット２４を通じてねじ孔１６にねじ込まれることにより取付板１１と枠体１２とが仮止めされる。仮止めされている際に、ねじ２７がねじ孔１６から緩められることにより、取付板１１と枠体１２とを相互に上下方向に移動できる。
従って、天井板１への取り付けに際し、天井板１の埋設孔２上に取付板１１が配置された後に、天井板１の埋設孔２の下面に枠体１２が配置されて枠体１２が取付板１１に機械的に仮止めされるために、施工時に取付板１１を天井板１の表面から上方に逃げないようにできる。
【００２２】
次に、リニューアルプレート１０の組立手順について説明する。
図９に示すように、まず、取付板１１が天井板１の埋設孔２上に配置される。
図１０に示すように、天井板１の埋設孔２上に配置された取付板１１は、位置決め突起１９により埋設孔２に位置決めされる。枠体１２は、埋設孔２の下方から埋設孔２に向けて進行される。
【００２３】
図１１に示すように、天井板１の埋設孔２に位置決めされた取付板１１の取付板側起立板１５の内周に対して枠体１２の枠体側起立板２２が進行されていき、枠体１２のねじ支持板２３のスリット２４が取付板１１の取付板側起立板１５のねじ孔１６に対応して枠体１２の内周側に配置された後に、枠体１２の器具本体挿通孔１４の内周側からねじ２７がスリット２４を通じてねじ孔１６にねじ込まれていき、仮止めの後に本止めされることにより取付板１１と枠体１２とにより天井板１を挟み込んでリニューアルプレート１０が天井板１に設置される。
【００２４】
図１２に示すように、リニューアルプレート１０が天井板１に設置された後に、取付ばね５２が器具本体５１に沿うように弾性変形された器具本体５１が、枠体１２の器具本体挿通孔１４および取付板１１の器具本体挿通孔２１に下方から挿入されていく。そして、器具本体５１の進行が進むにつれて、取付ばね５２が外径を大きくするように弾性復元されることにより、取付ばね５２により器具本体５１を天井板１に対して押上力が器具本体５１に付与される。
従って、天井板１への取り付けに際し、天井板１の埋設孔２の上面に取付板１１が配置された後に、天井板１の埋設孔２の下面に枠体１２が配置されて枠体１２が取付板１１に仮止めされる。そして、枠体１２の器具本体挿通孔２１および取付板１１の器具本体挿通孔１４を通じて器具本体５１が挿入され、器具本体５１の取付ばね５２により器具本体５１に作用する上昇力に伴う取付板１１に対する押下力と、器具本体５１の上昇に伴う枠体１２に対する押上力とにより、天井板１を挟み込んで器具本体５１を取り付けできる。
【００２５】
図１３に示すように、器具本体５１が埋設孔２に取り付けられる際に、器具本体５１の取付ばね５２が、取付板１１の取付板側切欠１７に当接される。そのため、取付ばね５２に蓄積された弾性復元力により取付板１１に対して下方に向けて押圧される押下力が付与される。
従って、器具本体５１の取付ばね５２が取付板１１の取付板側切欠１７に当接されることにより、取付ばね５２の曲がりが規制され、器具本体５１の天井板１に対する保持力の低下を防止できる。
【００２６】
このとき、器具本体５１の取付ばね５２は、枠体１２に有する枠体側切欠２５に対応して配置された取付板側切欠１７に当接される。
従って、取付ばね５２が枠体側切欠２５に対応する取付板側切欠１７に当接されることにより、取付板１１に対する押下力を確実に確保できる。
【００２７】
次に、リニューアルプレート１０をユニバーサルダウンライト型の照明器具６０に適用した場合について説明する。
図１４および図１５に示すように、照明器具６０は、器具本体６１の下方に支持台６２が設けられており、器具本体６１と支持台６２との間に取り付けられた首振回転軸６３により器具本体６１が首を振るように照射方向を変更可能である。
そして、器具本体６１を天井板１に取り付けた状態において、リニューアルプレート１０は、枠体１２の枠体側起立板２２の高さ寸法Ｌ１が、首振回転軸６３の天井板１からの高さ寸法Ｌ２よりも十分に小さい。
従って、ユニバーサルダウンライト型の照明器具６０に適用された場合に、枠体１２の枠体側起立板２２が首振回転軸６３に干渉しないために、首振回転軸６３の動作に支障なく設置できる。
【００２８】
以上、説明した一実施形態のリニューアルプレート１０によれば、天井板１への取り付けに際し、天井板１の埋設孔２の上面に取付板１１が配置された後に、天井板１の埋設孔２の下面に枠体１２が配置されて枠体１２が取付板１１に仮止めされる。そして、枠体１２の器具本体挿通孔２１および取付板１１の器具本体挿通孔１４を通じて器具本体５１が挿入され、器具本体５１，６１の取付ばね５２により器具本体５１，６１に作用する上昇力に伴う取付板１１に対する押下力と、器具本体５１，６１の上昇に伴う枠体１２に対する押上力とにより、天井板１を挟み込んで器具本体５１，６１を取り付けできるために、従来のもののように、取付ばねを枠部材に有するリニューアルプレートと比べて、保持力の設定を簡単にできるとともに簡素な構造にできる。
【００２９】
また、一実施形態のリニューアルプレート１０によれば、取付板１１が天井板１の埋設孔２上に配置されるときに、位置決め突起１９により、取付板１１を埋設孔２の所定位置に位置決めできる。
【００３０】
そして、一実施形態のリニューアルプレート１０によれば、器具本体５１，６１が埋設孔２に取り付けられる際に、器具本体５１，６１の取付ばね５２が取付板１１の取付板側切欠１７に当接されることにより、取付ばね５２の曲がりが規制され、器具本体５１，６１の天井板１に対する保持力の低下を防止できる。
【００３１】
さらに、一実施形態のリニューアルプレート１０によれば、器具本体５１，６１が埋設孔２に取り付けられる際に、器具本体５１，６１の取付ばね５２が枠体側切欠２５に対応して配置される取付板側切欠１７に当接されることにより、取付板１１に対する押下力を確実に確保できる。
【００３２】
さらにまた、一実施形態のリニューアルプレート１０によれば、天井板１への取り付けに際し、天井板１の埋設孔２の上面に取付板１１が配置された後に、天井板１の埋設孔２の下面に枠体１２が配置されて枠体１２と取付板１１とが機械的に仮止めされるために、施工時に取付板１１を天井板１の表面から上方に逃げないようにできる。
【００３３】
加えて、一実施形態のリニューアルプレート１０によれば、ユニバーサルダウンライト型の照明器具６０に適用された場合に、枠体１２の枠体側起立板２２が首振回転軸６３に干渉しないために、首振回転軸６３の動作に支障なく設置できる。
【００３４】
なお、本発明のリニューアルプレートにおいて器具本体，ＬＥＤ，ＬＥＤユニット，レンズ等は、前述した実施形態に限定されるものでなく、適宜な変形や改良等が可能である。
【符号の説明】
【００３５】
１  天井板
２  埋設孔
１０  リニューアルプレート
１１  取付板
１２  枠体
１４，２１  器具本体挿通孔（孔）
１５  取付板側起立板（立壁）
１６  ねじ孔（枠体取付部）
１７  取付板側切欠（切欠部）
１９  位置決め突起（突起）
２２  枠体側起立板（立壁）
２４  スリット（取付板取付溝）
２５  枠体側切欠（切欠部）
５０，６０  照明器具
５１，６１  器具本体
５２  取付ばね
６３  首振回転軸
【図１】
0005623220.tif 000002
【図２】
0005623220.tif 000003
【図３】
0005623220.tif 000004
【図４】
0005623220.tif 000005
【図５】
0005623220.tif 000006
【図６】
0005623220.tif 000007
【図７】
0005623220.tif 000008
【図８】
0005623220.tif 000009
【図９】
0005623220.tif 000010
【図１０】
0005623220.tif 000011
【図１１】
0005623220.tif 000012
【図１２】
0005623220.tif 000013
【図１３】
0005623220.tif 000014
【図１４】
0005623220.tif 000015
【図１５】
0005623220.tif 000016